【手続補正書】
【提出日】平成25年5月29日(2013.5.29)
【手続補正１】
【補正対象書類名】明細書
【補正対象項目名】０００９
【補正方法】変更
【補正の内容】
【０００９】
１つの実施の形態は、実質的に周期的な信号の時間分解能を増加させるための方法であって、前記方法のステップを実行するためのプロセッサを備え、第１の時間分解能を有するビデオフレームの入力シーケンスとして信号を取得するステップであって、前記信号は実質的周期信号であり、各フレームは符号化パターンにしたがって符号化される、取得ステップと、第２の時間分解能が前記第１の時間分解能よりも大きくなるような前記第２の時間分解能を有するビデオフレームの出力シーケンスに前記ビデオフレームの入力シーケンスを変換するステップであって、前記変換は、フーリエ領域における前記信号のスパース性に基づく、変換ステップと、を含む、方法を開示する。
【手続補正２】
【補正対象書類名】明細書
【補正対象項目名】００１０
【補正方法】変更
【補正の内容】
【００１０】
別の実施の形態は、実質的周期信号の時間分解能を増加させるためのシステムであって、第１の時間分解能を有するビデオフレームの入力シーケンスとして信号を取得するための手段であって、前記信号は実質的周期信号であり、前記ビデオフレームの入力シーケンスにおける前記フレームは符号化パターンにしたがって符号化される、取得するための手段と、第２の時間分解能が前記第１の時間分解能よりも大きくなるような前記第２の時間分解能を有するビデオフレームの出力シーケンスに前記ビデオフレームの入力シーケンスを変換するための手段であって、前記変換は、フーリエ領域における前記信号のスパース性に基づく、変換するための手段と、を備える、システムを開示する。
【手続補正３】
【補正対象書類名】特許請求の範囲
【補正対象項目名】全文
【補正方法】変更
【補正の内容】
【特許請求の範囲】
【請求項１】
実質的に周期的な信号の時間分解能を増加させるための方法であって、前記方法のステップを実行するためのプロセッサを備え、
第１の時間分解能を有するビデオフレームの入力シーケンスとして信号を取得するステップであって、前記信号は実質的周期信号であり、各フレームは符号化パターンにしたがって符号化される、取得ステップと、
第２の時間分解能が前記第１の時間分解能よりも大きくなるような前記第２の時間分解能を有するビデオフレームの出力シーケンスに前記ビデオフレームの入力シーケンスを変換するステップであって、前記変換は、フーリエ領域における前記信号のスパース性に基づく、変換ステップと、
を含む、方法。
【請求項２】
前記ビデオフレームの入力シーケンスの各フレームの信号積分時間中に、前記符号化パターンにしたがってカメラのシャッタを開閉することにより、前記信号を符号化するステップ、
をさらに含む、請求項１に記載の方法。
【請求項３】
前記ビデオフレームの入力シーケンスの各フレームの信号積分時間中に、前記符号化パターンにしたがってシャッタを交互に不透明および透明にすることにより、前記信号を符号化するステップ、
をさらに含む、請求項１に記載の方法。
【請求項４】
前記ビデオフレームの入力シーケンスの各フレームの信号積分時間中に、前記符号化パターンにしたがってセンサによる光の積分をオンおよびオフにすることにより、前記信号を符号化するステップ、
をさらに含む、請求項１に記載の方法。
【請求項５】
前記符号化パターンは、時間的に変化していく、請求項１に記載の方法。
【請求項６】
前記符号化パターンは、２値パターンである、請求項１に記載の方法。
【請求項７】
前記符号化パターンは、確率分布関数にしたがう、請求項１に記載の方法。
【請求項８】
前記ビデオフレームの入力シーケンスは、第１のフレームが前記符号化パターンの第１の部分にしたがって符号化され、第２のフレームが前記符号化パターンの第２の部分にしたがって符号化され、前記符号化パターンの前記第１の部分が前記符号化パターンの前記第２の部分と異なるような、前記第１のフレームおよび前記第２のフレームを含む、請求項１に記載の方法。
【請求項９】
前記ビデオフレームの入力シーケンスの各フレームの信号積分時間中に、前記符号化パターンにしたがって光源をオンおよびオフに交互に切り替えることにより、前記信号を符号化するステップ、
をさらに含む、請求項１に記載の方法。
【請求項１０】
前記変換ステップは、
観測モデルにしたがって前記信号を表すステップと、
信号モデルにしたがって前記信号を表すステップと、
前記観測モデルと前記信号モデルとを結合するステップであって、それによって、混合モデルを作成する、結合するステップと、
前記混合モデルに基づいて前記フレームの出力シーケンスを求めるステップと、
をさらに含む、請求項１に記載の方法。
【請求項１１】
前記変換するステップは、
ｙ＝Ｃｘ＋η＝ＣＢｓ＋η＝Ａｓ＋η
にしたがって、前記入力シーケンスと前記出力シーケンスとの間の関係を表すステップ、
をさらに含み、ここで、ｙは前記ビデオフレームの入力シーケンスにおける前記信号の値を表し、Ｃは符号化行列であり、前記符号化行列の値は前記符号化パターンに依存し、Ｂは逆フーリエ変換行列であり、ｓはフーリエ係数ベクトルであり、ｘは前記フレームの出力シーケンスにおける前記信号の値を表し、Ａは前記変換の混合行列であり、ηは雑音である、請求項１に記載の方法。
【請求項１２】
前記信号の基本周波数を求めるステップと、
前記フーリエ係数ベクトルｓを求めるステップと、
ｘ＝Ｂｓにしたがって前記ビデオフレームの出力シーケンスを求めるステップと、
をさらに含む、請求項１１に記載の方法。
【請求項１３】
基本周波数の可能な値のセットを取得するステップと、
基本周波数の前記可能な値のセットにおける基本周波数の各値について、前記フーリエ係数ベクトルを求めるステップと、
各フーリエ係数ベクトルについて、前記基本周波数の関数としての誤差を求めるステップであって、それによって、誤差のセットを作成する、求めるステップと、
前記誤差のセットにおける最小の誤差に対応する前記フーリエ係数ベクトルを選択するステップと、
をさらに含む、請求項１２に記載の方法。
【請求項１４】
実質的周期信号の時間分解能を増加させるためのシステムであって、
第１の時間分解能を有するビデオフレームの入力シーケンスとして信号を取得するための手段であって、前記信号は実質的周期信号であり、前記ビデオフレームの入力シーケンスにおける前記フレームは符号化パターンにしたがって符号化される、取得するための手段と、
第２の時間分解能が前記第１の時間分解能よりも大きくなるような前記第２の時間分解能を有するビデオフレームの出力シーケンスに前記ビデオフレームの入力シーケンスを変換するための手段であって、前記変換は、フーリエ領域における前記信号のスパース性に基づく、変換するための手段と、
を備える、システム。
【請求項１５】
前記ビデオフレームの入力シーケンスのフレームの信号積分時間中に前記符号化パターンにしたがって前記信号を符号化するための手段、
をさらに備える、請求項１４に記載のシステム。
【請求項１６】
前記ビデオフレームの入力シーケンスにおける各フレームは、異なって符号化される、請求項１４に記載のシステム。
【請求項１７】
実質的周期信号の時間分解能を増加させるためのシステムであって、
第１の時間分解能を有するビデオフレームの入力シーケンスとして信号を取得するように構成されたセンサであって、前記信号は実質的周期信号である、センサと、
符号化パターンにしたがって前記ビデオフレームの入力シーケンスにおける前記フレームを符号化するように構成されたシャッタと、
第２の時間分解能が前記第１の時間分解能よりも大きくなるような前記第２の時間分解能を有するビデオフレームの出力シーケンスに前記ビデオフレームの入力シーケンスを変換するように構成された変換モジュールであって、前記変換は、フーリエ領域における前記信号のスパース性に基づく、変換モジュールと、
を備える、システム。
【請求項１８】
前記ビデオフレームの出力シーケンスを記憶するための記憶装置、
をさらに備える、請求項１７に記載のシステム。
【請求項１９】
前記ビデオフレームの出力シーケンスを表示するように構成されたディスプレイ、
をさらに備える、請求項１７に記載のシステム。